(57)【要約】【課題】下端部が支柱保持部に回動可能に配置された支柱を、簡易な構成で、多くの人手を要することなく容易に立て起すことができる支柱立て起し機具を提供すること。【解決手段】水平接地バー部２１及びその水平接地バー部２１に実質的に直交する方向に延びる主回動バー部２２を備えるＴ字形状のバー本体２０と、主回動バー部２２より短いバー状に設けられると共に、上端部３３において主回動バー部２２の上端部２３に軸着されることで構成される水平接地バー部２１の軸芯と実質的に平行な上部回動軸３１を中心にして回動自在に設けられ、下端３２が地面に接地して主回動バー部２２と共になって逆Ｖ字状に立つことができるように設けられた補助バー３０と、その補助バー３０又は主回動バー部２２の上端部３３、２３に吊下げられることで配されて、支柱１０を吊り上げるように設けられた吊り上げ装置４０とを具備する。【選択図】図１
2011080340.tif 000002
【特許請求の範囲】
【請求項１】
下端部が支柱保持部に回動可能に配置された支柱を、該下端部を中心に回動させることで立て起す支柱立て起し機具であって、
バー状の全長に亘って地面に接地して配置される水平接地バー部、及び該水平接地バー部に実質的に直交する方向に延長されて該水平接地バー部の軸芯を中心にして上端部が上下方向に回動される主回動バー部を備えるＴ字形状のバー本体と、
前記主回動バー部より短いバー状に設けられると共に、上端部において前記主回動バー部の上端部に軸着されることで構成される前記水平接地バー部の軸芯と実質的に平行な上部回動軸を中心にして回動自在に設けられ、下端が地面に接地して前記主回動バー部と共になって逆Ｖ字状に立つことができるように設けられた補助バーと、
該補助バー又は前記主回動バー部の上端部に吊下げられることで配されて、前記支柱を吊り上げるように設けられた吊り上げ装置とを具備することを特徴とする支柱立て起し機具。
【請求項２】
前記吊り上げ装置が、チェーンブロックであることを特徴とする請求項１記載の支柱立て起し機具。
【請求項３】
前記上部回動軸が、前記主回動バー部の上端に設けられた管状の回動軸受部と、該回動軸受部の管内に挿通されるように前記補助バーの上端に水平方向へ延長されて設けられた回動軸芯部とによって構成されていることを特徴とする請求項１又は２記載の支柱立て起し機具。
【請求項４】
前記Ｔ字形状のバー本体が、水平接地バー部と主回動バー部とに分割可能に設けられていることを特徴とする請求項１〜３のいずれかに記載の支柱立て起し機具。
【請求項５】
前記Ｔ字形状のバー本体の下端部と、前記補助バーの下端部との開きを制限するように、両者の間に開き制限用ロープが設けられていることを特徴とする請求項１〜４のいずれかに記載の支柱立て起し機具。
【発明の詳細な説明】
【技術分野】
【０００１】
この発明は、下端部が支柱保持部に回動可能に配置された支柱を、その下端部を中心に回動させることで立て起す支柱立て起し機具に関する。なお、本発明にかかる支柱としては、例えば旗を掲揚するための柱状の部材が含まれ、柱材、竿材、棒材又はポールと呼ばれるものも対象とされる。
【背景技術】
【０００２】
長くて重量のある支柱を立てる作業は、一般的に支柱を途中まで直接的に持ち上げると共に、ロープによって支柱が倒れている側とは反対の側から引っ張ることで行われている。このような作業は、人手で行う場合、大勢の人による大きな力が必要となる。
【０００３】
これに対して、例えば、以下の構成の柱材の建て起し方法及び装置が提案されている。
柱材の両端にその両端を夫々固定したチェーンを吊り治具の滑車に懸架し、前記柱材の一端と該柱材以外の固定点間を拘束ワイヤによって連結し、前記吊り治具を吊下げて前記柱材を傾斜または垂直とした状態ならしめた後前記ワイヤを取り外す。前記吊り治具は遠隔操作可能なチェーンロック機構を有する（特許文献１参照）。
この柱材の建て起し方法及び装置にあっては、柱材の全体をワイヤで吊り上げるものであって、装置が大型化すると共に、極めて大きな動力を必要とするものである。
【先行技術文献】
【特許文献】
【０００４】
【特許文献１】特開平０９−１８４２９４（第１頁）
【発明の概要】
【発明が解決しようとする課題】
【０００５】
支柱立て起し機具に関して解決しようとする問題点は、長くて重量のある支柱を立て起す場合に人手による場合は大勢の力を必要とし、機械化による場合は装置が大型化して大きな動力を必要とすることにある。
そこで本発明の目的は、支柱を、簡易な構成で、多くの人手を要することなく容易に立て起すことができる支柱立て起し機具を提供することにある。
【課題を解決するための手段】
【０００６】
本発明は、上記目的を達成するために次の構成を備える。
本発明に係る支柱立て起し機具の一形態によれば、下端部が支柱保持部に回動可能に配置された支柱を、該下端部を中心に回動させることで立て起す支柱立て起し機具であって、バー状の全長に亘って地面に接地して配置される水平接地バー部、及び該水平接地バー部に実質的に直交する方向に延長されて該水平接地バー部の軸芯を中心にして上端部が上下方向に回動される主回動バー部を備えるＴ字形状のバー本体と、前記主回動バー部より短いバー状に設けられると共に、上端部において前記主回動バー部の上端部に軸着されることで構成される前記水平接地バー部の軸芯と実質的に平行な上部回動軸を中心にして回動自在に設けられ、下端が地面に接地して前記主回動バー部と共になって逆Ｖ字状に立つことができるように設けられた補助バーと、該補助バー又は前記主回動バー部の上端部に吊下げられることで配されて、前記支柱を吊り上げるように設けられた吊り上げ装置とを具備する。
【０００７】
また、本発明に係る支柱立て起し機具の一形態によれば、前記吊り上げ装置が、チェーンブロックであることを特徴とすることができる。
【０００８】
また、本発明に係る支柱立て起し機具の一形態によれば、前記上部回動軸が、前記主回動バー部の上端に設けられた管状の回動軸受部と、該回動軸受部の管内に挿通されるように前記補助バーの上端に水平方向へ延長されて設けられた回動軸芯部とによって構成されていることを特徴とすることができる。
【０００９】
また、本発明に係る支柱立て起し機具の一形態によれば、前記Ｔ字形状のバー本体が、水平接地バー部と主回動バー部とに分割可能に設けられていることを特徴とすることができる。
また、本発明に係る支柱立て起し機具の一形態によれば、前記Ｔ字形状のバー本体の下端部と、前記補助バーの下端部との開きを制限するように、両者の間に開き制限用ロープが設けられていることを特徴とすることができる。
【発明の効果】
【００１０】
本発明に係る支柱立て起し機具によれば、支柱を、簡易な構成で、多くの人手を要することなく容易に立て起すことができるという特別有利な効果を奏する。
【図面の簡単な説明】
【００１１】
【図１】本発明に係る支柱立て起し機具の形態例を示す斜視図である。
【図２】本発明に係る支柱立て起し機具の形態例を示す正面図である。
【図３】図２の形態例の側面図である。
【図４】本発明に係る支柱立て起し機具の使用工程を説明する第１の模式図である。
【図５】本発明に係る支柱立て起し機具の使用工程を説明する第２の模式図である。
【図６】本発明に係る支柱立て起し機具の使用工程を説明する第３の模式図である。
【図７】本発明に係る支柱立て起し機具の使用工程を説明する第４の模式図である。
【発明を実施するための形態】
【００１２】
以下に、本発明に係る支柱立て起し機具の形態例を添付図面（図１〜７）に基づいて詳細に説明する。
この支柱立て起し機具は、下端部１２が支柱保持部１５に回動可能に配置された支柱１０を、その下端部１２を中心に回動させることで立て起すものである。本形態例における支柱保持部１５は、支柱１０を立てた状態に固定するもので、その下部に支柱１０の下端部１２が回動可能に軸着されるように設けられている。なお、この支柱保持部１５は、これに限定されず、支柱１０をその下端部１２を中心に回動できるように保持できるものであれば、例えば支柱１０の下端を滑らないように受けるストッパであってもよい。
【００１３】
２０はＴ字形状のバー本体であり、バー状の全長に亘って地面に接地して配置される水平接地バー部２１、及びその水平接地バー部２１に実質的に直交する方向に延長されてその水平接地バー部２１の軸芯を中心にして上端部２３が上下方向に回動される主回動バー部２２を備える。本形態例では、軽量化のため、パイプ材で形成されている。なお、実質的に直交するとは、その角度が同等の作用効果を奏する範囲であればよく、厳密に直交していることを要しないことを意味する。
【００１４】
３０は補助バーであり、主回動バー部２２より短いバー状に設けられると共に、上端部３３において主回動バー部２２の上端部２３に軸着されることで構成される水平接地バー部２１の軸芯と実質的に平行な上部回動軸３１を中心にして回動自在に設けられ、下端３２が地面に接地して主回動バー部２２と共になって逆Ｖ字状（先の尖った山形状）に立つことができるように設けられている。本形態例では、軽量化のため、パイプ材で形成されている。なお、ここで逆Ｖ字状に立つとは、自立することではなく、支えられて起立状態になることである。なお、実質的に平行とは、その平行度が同等の作用効果を奏する範囲であればよく、厳密に平行であることを要しないことを意味する。
【００１５】
４０は吊り上げ装置であり、補助バー３０又は主回動バー部２２の上端部３３、２３に吊下げられることで配されて、支柱１０を吊り上げるように設けられている。
本形態例の吊り上げ装置４０は、手動のチェーンブロックによって構成されている。４１はチェーンブロック本体であり、４２はロードチェーンであり、４３はハンドチェーンである。また、本形態例のチェーンブロック（吊り上げ装置４０）は、補助バー３０の上端部３３に設けられた回動軸芯部３３ａの先端部３３ｂに吊下げられている。
【００１６】
なお、本発明はこれに限定されるものではなく、電動式のチェーンブロックや、他のワイヤ式の巻上げ装置など、既知の吊り上げ機構を採用できるのは勿論である。また、その取付け位置も本形態例に限定されず、支柱１０を吊り上げられるように本発明に係る支柱立て起し機具の上部に配されていればよい。
【００１７】
また、本形態例では、上部回動軸３１が、主回動バー部２２の上端に設けられた管状の回動軸受部２３ａと、その回動軸受部２３ａの管内に挿通されるように補助バー３０の上端に水平方向へ延長されて設けられた回動軸芯部３３ａとによって構成されている。なお、回動軸受部２３ａはパイプ材によって形成されており、パイプ材から成る主回動バー部２２に溶接によって固定されている。また、回動軸芯部３３ａは、回動軸受部２３ａよりも小径のパイプ材によって形成されており、補助バー３０に溶接によって固定されている。
これによれば、簡単な構成によって、バー本体２０と補助バー３０とが、好適に相対的に回動できる構成となると共に、大きな荷重にも適切に対応して吊り上げることができる形態になっている。
【００１８】
また、図２及び図３に示すように、Ｔ字形状のバー本体２０を、水平接地バー部２１と主回動バー部２２とに分割可能に設けてもよい。本形態例では、水平接地バー部２１に固定された設けられた連結部２１ａに主回動バー部２２の下端が差し込まれ、ピン２５によって両者を連結できるように設けられている。
このようにバー本体２０を分解できる形態とすることで、コンパクトに収納でき、搬送を効率良く行うことができる。
【００１９】
また、図１〜図３に示すように、Ｔ字形状のバー本体２０の下端部２４と、補助バー３０の下端部３４との開きを制限するように、両者の間に開き制限用ロープ５０を設けてもよい。
このように開き制限用ロープ５０を設けることで、意図しない状態に大きく開いてしまうことを防止できるため、操作性が向上し、作業を行い易くすることができる。
【００２０】
次に、図４〜図７に基づいて、本発明に係る支柱立て起し機具の使用方法について詳細に説明する。
図４は、支柱１０の立て起し作業を開始する際の状態を示す第１の工程模式図である。
支柱１０は、その下端部１２が支柱保持部１５に軸着されている。本発明に係る支柱立て起し機具は、バー本体２０の主回動バー部２２と補助バー３０とによって逆Ｖ字状に起立した状態に置かれる。なお、水平接地バー部２１は、支柱保持部１５から所要の間隔をおいた位置で、支柱１０と実質的に直交する方向に置かれる、そして、吊り上げ装置４０（チェーンブロック）のロードチェーン４２の先端が、支柱１０の中途部に連結された状態となっている。具体的には、支柱１０の中途部に掛け回した紐に、ロードチェーン４２の先端に設けられたフックを引っ掛けた状態になっている。なお、図４〜図７ではチェーンブロックの詳細な形態は省略して記載しており、ロードチェーン４２の作動状態のみを点線で示してある。
【００２１】
図５は、支柱１０を４５度回動して持ち上げた状態を示す第２の工程模式図である。
ロードチェーン４２を図５のように引き上げると、そのリンク機構的な性質によって、支柱１０が持ち上げられるように回動されると共に、主回動バー部２２が水平接地バー部２１の軸芯を中心にして自動的に起立する方向に回動する。これに伴って、補助バー３０は、主回動バー部２２よりも若干短く形成されているため、自動的に地面から浮いて回動自在になる。なお、図５では、説明のため、補助バー３０を傾けた状態に図示してあるが、何も力を与えない状態では真下に垂れ下がった状態になる。
【００２２】
図６は、支柱１０を７０度まで回動して持ち上げた状態を示す第３の工程模式図である。
ロードチェーン４２を図５から図６の状態のように引き上げると、そのリンク機構的な性質によって、主回動バー部２２が支柱保持部１５の側へ若干倒れるようになるまで回動すると共に、支柱１０がさらに立て起される。この間、補助バー３０は、図５の状態から継続して回動自在な状態になっている。なお、図６では、説明のため、補助バー３０を傾けた状態に図示してあるが、何も力を与えない状態では真下に垂れ下がった状態になる。これによれば、補助バー３０は、図５の状態から主回動バー部２２の反対側に回動した状態になる。
【００２３】
図７は、支柱１０を垂直に立て起し、その作業を終了させた状態を示す第４の工程模式図である。
これによれば、ロードチェーン４２を図６から図７の状態のようにさらに引き上げることによって、そのリンク機構的な性質によって、主回動バー部２２がさらに倒れるように回動すると共に、支柱１０が垂直に立て起される。このとき、補助バー３０の下端３２が地面に接地して、支柱１０が倒れないように保持される。この状態で、支柱固定用のピン５１を支柱１０と支柱保持部１５の間に挿入するなどして、支柱１０を支柱保持部１５に固定することで、支柱１０の立て起し作業が完成する。
以上の作業操作は、ロードチェーン４２を巻き上げる操作を主に行えばよく、極めて簡単であり、一人の作業として行うこともできる。従って、本発明に係る支柱立て起し機具によれば、簡易な構成によって設けられ、支柱１０を多くの人手を要することなく容易に立て起すことができる。
【００２４】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００２５】
１０  支柱
１２  下端部
１５  支柱保持部
２０  バー本体
２１  水平接地バー部
２２  主回動バー部
２３  上端部
２３ａ  回動軸受部
２４  下端部
３０  補助バー
３１  上部回動軸
３２  下端
３３  上端部
３３ａ  回動軸芯部
３４  下端部
４０  吊り上げ装置
４１  チェーンブロック本体
５０  開き制限用ロープ
【図１】
2011080340.tif 000003
【図２】
2011080340.tif 000004
【図３】
2011080340.tif 000005
【図４】
2011080340.tif 000006
【図５】
2011080340.tif 000007
【図６】
2011080340.tif 000008
【図７】
2011080340.tif 000009